(57)【要約】【課題】簡便な操作で外部の固定物に支持させて壁掛け状態等を実現するとともに、スピーカーによるキャビネットの振動を抑制することができる表示装置と壁掛け用の取付具とを含む表示装置セットを提供する。【解決手段】表示装置は、正面に表示用の開口を有するキャビネット１，２内にマグネット３９を備えたスピーカー３を収容し、バックキャビネット２は、背面に外部の取付金具５に係止可能な係止部４を有し、スピーカー３は、キャビネット２から背面側へ突出し、マグネット３９により取付金具５に磁着可能な磁着部３８ｂを有している。取付金具５は係止部４を係止する被係止部５ａ及び磁着部３８ｂを磁着する磁性体を有している。スピーカー３の背面と取付金具５との間に配置される緩衝材６を備え、取付金具５は、磁着部３８ｂが磁着する箇所に磁着部３８ｂを挿入することが可能な凹部５ｂを有する。【選択図】図１
2013130645.tif 000002
【特許請求の範囲】
【請求項１】
正面に表示用の開口を有するキャビネット内にマグネットを備えたスピーカーを収容している表示装置において、
前記キャビネットは、背面に外部の固定物に係止可能な係止部を有し、
前記スピーカーは、前記キャビネットから背面側へ突出し、前記マグネットにより外部の固定物に磁着可能な磁着部を有していることを特徴とする表示装置。
【請求項２】
前記磁着部を覆う取り外し可能なカバーを備えていることを特徴とする請求項１に記載の表示装置。
【請求項３】
請求項１又は２に記載の表示装置と、
前記係止部を係止する被係止部及び前記磁着部を磁着する磁性体を有する取付具とを備えた表示装置セット。
【請求項４】
前記磁着部は先端に曲面状の凸部（又は凹部）を有し、
前記磁性体は、前記凸部（又は凹部）に係合可能な曲面状の凹部（又は凸部）を有し、
前記係止部又は被係止部の一方は、先端部が他方に係止され、長さの異なる複数のアームを有することを特徴とする請求項３に記載の表示装置セット。
【請求項５】
前記磁着部は先端に曲面状の凸部（又は凹部）を有し、
前記磁性体は、前記凸部（又は凹部）に係合可能な曲面状の凹部（又は凸部）を有し、
前記係止部又は被係止部の一方は、先端部が他方に係止され、長さが変更自在であるアームを有することを特徴とする請求項３に記載の表示装置セット。
【請求項６】
前記スピーカーの背面と前記取付具との間に配置される緩衝材を備えていることを特徴とする請求項３から５の何れか１項に記載の表示装置セット。
【請求項７】
前記取付具は、前記磁着部が磁着する箇所に前記磁着部を挿入することが可能な凹部を有することを特徴とする請求項３から６の何れか１項に記載の表示装置セット。
【発明の詳細な説明】
【技術分野】
【０００１】
本発明は、キャビネット内にスピーカーが収容されている表示装置、及び、該表示装置と壁掛け用の取付具とを含む表示装置セットに関する。
【背景技術】
【０００２】
最近の薄型表示装置（例えば液晶テレビジョン）は軽量化されているため、簡単に持ち運ぶことができ、また壁面への取り付け、取り外しが簡単にできるもの（例えばフリーテレビと呼ばれるもの）も現れており、壁掛け式の表示装置の需要が高まっている（特許文献１参照）。
【０００３】
一般的な壁掛け式の表示装置では、相互に係止可能な一対の取付具を用意し、一方の取付具をキャビネットの背面にネジ止めし、この一方の取付具を壁面に固定された他方の取付具に係止して壁掛け状態にしている。
【先行技術文献】
【特許文献】
【０００４】
【特許文献１】特開２００９−１２２２４９号公報
【発明の概要】
【発明が解決しようとする課題】
【０００５】
従来の壁掛け式の表示装置ではキャビネットの背面に取付具をネジ止めする必要があり、操作が面倒であった。又、表示装置が軽量化されて内蔵したスピーカーの振動をキャビネットが受け易くなるため、キャビネットの振動（所謂びびり）も問題となっていた。
【０００６】
本発明は、上述したような事情に鑑みてなされたものであり、簡便な操作で外部の固定物に支持させて壁掛け状態等を実現するとともに、スピーカーによるキャビネットの振動を抑制することができる表示装置、及び、該表示装置と壁掛け用の取付具とを含む表示装置セットを提供することを目的とする。
【課題を解決するための手段】
【０００７】
本発明に係る表示装置は、正面に表示用の開口を有するキャビネット内にマグネットを備えたスピーカーを収容している表示装置において、前記キャビネットは、背面に外部の固定物に係止可能な係止部を有し、前記スピーカーは、前記キャビネットから背面側へ突出し、前記マグネットにより外部の固定物に磁着可能な磁着部を有していることを特徴とする。
【０００８】
本発明においては、キャビネットの背面の係止部が外部の固定物に係止され、キャビネット内に収容したスピーカーが備えるマグネットの磁力により、キャビネットから背面側へ突出したスピーカーの磁着部が外部の固定物に磁着され、キャビネットの正面に表示用の開口を有する表示装置が外部の固定物に支持される。
【０００９】
本発明に係る表示装置は、前記磁着部を覆う取り外し可能なカバーを備えていることを特徴とする。
本発明においては、表示装置を外部の固定物に支持させない場合は、キャビネットから背面側へ突出した磁着部を取り外し可能なカバーで覆い、該磁着部を含むスピーカーの損傷を防止することができる。
【００１０】
本発明に係る表示装置セットは、前記表示装置と、前記係止部を係止する被係止部及び前記磁着部を磁着する磁性体を有する取付具とを備えたことを特徴とする。
本発明においては、取付具が外部に固定され、キャビネットの背面の係止部が取付具の被係止部に係止され、キャビネット内に収容したスピーカーが備えるマグネットの磁力により、キャビネットから背面側へ突出したスピーカーの磁着部が取付具の磁性体に磁着され、キャビネットの正面に表示用の開口を有する表示装置が取付具に支持される。
【００１１】
本発明に係る表示装置セットは、前記磁着部は先端に曲面状の凸部（又は凹部）を有し、前記磁性体は、前記凸部（又は凹部）に係合可能な曲面状の凹部（又は凸部）を有し、前記係止部又は被係止部の一方は、先端部が他方に係止され、長さの異なる複数のアームを有することを特徴とする。
本発明においては、表示装置側の磁着部の先端の曲面状の凸部（又は凹部）を取付具側の磁性体が有する曲面状の凹部（又は凸部）に係合させ、該係合箇所を中心として表示装置を回転させて角度を変更し、表示装置側の係止部又は取付具側の被係止部の一方が有する長さの異なる複数のアームの中から選んだ１つのアームの先端を表示装置側の係止部又は取付具側の被係止部の他方に係止させる。その結果、簡便な操作で壁掛け状態等に設置してある表示装置の傾斜角度を変更することができる。
【００１２】
本発明に係る表示装置セットは、前記磁着部は先端に曲面状の凸部（又は凹部）を有し、前記磁性体は、前記凸部（又は凹部）に係合可能な曲面状の凹部（又は凸部）を有し、前記係止部又は被係止部の一方は、先端部が他方に係止され、長さが変更自在であるアームを有することを特徴とする。
本発明においては、表示装置側の磁着部の先端の曲面状の凸部（又は凹部）を取付具側の磁性体が有する曲面状の凹部（又は凸部）に係合させ、該係合箇所を中心として表示装置を回転させて角度を変更し、表示装置側の係止部又は取付具側の被係止部の一方が有するアームの長さを表示装置の角度に合わせて変更調節してアームの先端を表示装置側の係止部又は取付具側の被係止部の他方に係止させる。その結果、簡便な操作で壁掛け状態等に設置してある表示装置の傾斜角度を変更することができる。
【００１３】
本発明に係る表示装置セットは、前記スピーカーの背面と前記取付具との間に配置される緩衝材を備えていることを特徴とする。
本発明においては、スピーカーの背面と前記取付具との間に配置された緩衝材により、スピーカーの磁着部が取付具の磁性体に磁着される際の衝撃を軽減し、又、スピーカーの磁着部が取付具の磁性体に磁着された状態でスピーカーの振動が緩衝材を介して取付具側に吸収され、一層有効にスピーカーの振動を減衰させることができる。
【００１４】
本発明に係る表示装置セットは、前記取付具は、前記磁着部が磁着する箇所に前記磁着部を挿入することが可能な凹部を有することを特徴とする。
本発明においては、スピーカーの磁着部を取付具の凹部に挿入することにより、取付具の磁性体に磁着させる際の磁着部の位置決めが容易となり、又、スピーカーの磁着部を取付具の磁性体に磁着させた状態では磁着部が凹部によって移動しないように安定に保持される。
【発明の効果】
【００１５】
本発明に係る表示装置によれば、キャビネットの背面の係止部を外部の固定物に係止させ、キャビネットから背面側へ突出したスピーカーの磁着部を外部の固定物に磁着させることにより表示装置を簡便な操作で外部の固定物に支持させて壁掛け状態等を実現することができ、またスピーカーが磁着部を介して外部の固定物に磁着されるのでスピーカーの振動が外部の固定物に吸収されて減衰し、スピーカーの振動を受けて振動するキャビネットの振動を抑制することができる表示装置が提供される。
【００１６】
本発明に係る表示装置セットによれば、キャビネットの背面側に係止部及び磁着部を有する表示装置と、表示装置側の係止部を係止する被係止部及び表示装置側の磁着部を磁着する磁性体を有する取付具とを備えることにより、簡便な操作で壁掛け状態等を実現するとともに、スピーカーの振動を受けて振動するキャビネットの振動を抑制することができる表示装置セットが提供される。
【図面の簡単な説明】
【００１７】
【図１】本発明の実施の形態１に係る表示装置セットの縦断面図である。
【図２】図１に示す表示装置セットを構成する表示装置の背面側の斜視図である。
【図３】図１に示す表示装置セットを構成する取付金具の斜視図である。
【図４】表示装置の背面側にカバーを取り付けた状態を示す縦断面図である。
【図５】本発明の実施の形態２に係る表示装置セットの縦断面図である。
【図６】図５に示す表示装置セットの傾斜状態を示す縦断面図である。
【図７】図５に示す表示装置セットを構成する取付金具の斜視図である。
【図８】本発明の実施の形態３に係る表示装置セットの縦断面図である。
【図９】図８に示す表示装置セットの傾斜状態を示す縦断面図である。
【図１０】本発明の実施の形態４に係る表示装置セットを構成する表示装置の背面側の斜視図である。
【図１１】図１０に示す表示装置セットを構成する取付金具の斜視図である。
【図１２】本発明の実施の形態５に係る表示装置セットの縦断面図である。
【図１３】図１２に示す表示装置セットを構成する取付金具の斜視図である。
【発明を実施するための形態】
【００１８】
以下、本発明に係る表示装置及び表示装置セットの実施の形態について図面に基づいて説明する。
（実施の形態１）
図１は本発明の実施の形態１に係る表示装置セットの縦断面図、図２は同表示装置セットを構成する表示装置の背面側の斜視図、図３は同表示装置セットを構成する取付金具の斜視図、図４は表示装置の背面側にカバーを取り付けた状態を示す縦断面図である。図１は、表示装置セットを構成する表示装置と取付金具とを組み付けた状態を示す。
【００１９】
本発明に係る表示装置は、フロントキャビネット１と、フロントキャビネット１の後面側を覆うようにフロントキャビネット１にネジ止めされたバックキャビネット２とを備えている。尚、図示は省略するが、フロントキャビネット１の中央箇所に表示用の開口が形成され、該開口に表示画面が位置するように液晶表示ユニット等の表示部がフロントキャビネット１に支持されている。
【００２０】
フロントキャビネット１の後面下部の左右両側に、夫々スピーカー３がネジ止めされている。スピーカー３は、円錐筒状のフレーム３１を有し、フレーム３１の内部にセンターキャップ３２ａを有するコーン３２が配置されている。フレーム３１の円錐底部の２箇所にネジ孔を有するネジ止め部３１ｂが延設されている。コーン３２は円錐底部の外周端でエッジ３３を介してフレーム３１の円錐底部に支持されている。コイル３４ａが巻回されている円筒状のコイル支持体３４の一端部は、センターキャップ３２ａ側のコーン３２の端部に取り付けられるとともに、ダンパー３５を介してフレーム３１の円錐頂部に支持されている。
【００２１】
フレーム３１の円錐頂部に環状平板の受け部３１ａが延設され、コイル３４ａを間にしてコイル支持体３４の外部に同軸に位置するドーナツ状のヨーク３８ａの一面が受け部３１ａに接着され、ヨーク３８ａの他面にドーナツ状の永久磁石３９の一面が接着されている。さらに、一端側がコイル支持体３４の内部に同軸に挿入された円筒部３８ｂ１と、該円筒部３８ｂ１の他端に連なり、ヨーク３８ａと略同一外径の円盤部３８ｂ２とを有するヨーク３８ｂが円盤部３８ｂ２の外周部内面で永久磁石３９の他面に接着されている。ヨーク３８ａ及びヨーク３８ｂは鉄製であり、永久磁石３９の磁界を受けて磁化している。
【００２２】
バックキャビネット２のスピーカー３に対応する２箇所に開口２ａが形成され、ヨーク３８ｂ（円盤部３８ｂ２）と永久磁石３９の一部とが開口２ａを通してバックキャビネット２から背面側へ突出している。尚、永久磁石３９は背面側へ突出せず、ヨーク３８ｂ（円盤部３８ｂ２）だけが突出していてもよい。
【００２３】
バックキャビネット２の背面上部の中央箇所に、後側へ係止片４が突設している。係止片４は、円柱４ａと、円柱４ａの先端に連なり、円柱４ａの直径よりも大径の円盤部４ｂとを有する。
【００２４】
壁掛け用の取付金具５は、略矩形で左右端部が下側に突出した形状を有する。取付金具５は鉄、鉄ニッケル合金等の金属板で構成され、全体が磁性体である。取付金具５の上部の左右中央箇所には、係止片４を下側から受け止める受止部５ａが設けてある。受止部５ａは、上面及び一側面が開口した箱状体５ａ１を有し、開口した側面を取付金具５の板面に向けて板面に固着されている。箱状体５ａ１の開口した側面と対向する側板の上部中央に半円形の切欠５ａ２が形成してある。取付金具５の下部の左右端部に、夫々円形の凹部５ｂが形成されている。凹部５ｂの底面には緩衝用のゴム板６が接着してある。
【００２５】
次に、表示装置を壁掛け状態にセットする手順について説明する。
（１）取付金具５を図示しない止めネジによって受止部５ａの反対側の面を壁面に固定する。
（２）バックキャビネット２の係止片４の円盤部４ｂを受止部５ａの箱状体５ａ１の内部に上側から落とし込み、係止片４の円柱４ａを箱状体５ａ１の上部の切欠５ａ２に保持させて、係止片４を受止部５ａに係止させる。
（３）背面側へ突出している左右の各スピーカー３のヨーク３８ｂの円盤部３８ｂ２を夫々取付金具５の左右の凹部５ｂに挿入させ、永久磁石３９の磁力によって磁化している円盤部３８ｂ２を取付金具５の凹部５ｂに磁着させる。この際、円盤部３８ｂ２はゴム板６を介して凹部５ｂにソフトに磁着される。
上記壁掛け状態では、上側中央の係止片４と受止部５ａとの係止箇所、及び、下側の左右２箇所の円盤部３８ｂ２と凹部５ｂとの磁着箇所の３点支持で表示装置が壁面に安定に支持される。
【００２６】
又、表示装置を壁掛け状態で使用しない場合は、背面側へ突出したヨーク３８ｂ及び永久磁石３９を覆い、開口２ａを通しての埃等の浸入や、スピーカー３への衝撃を防ぐために、プラスチック製又は金属製のカバー７がバックキャビネット２に取り外しできるようにネジ止めされている（図４）。尚、図示はしないが、ネジ止め以外に、例えばバックキャビネット２の背面に設けた溝にカバー７の縁部を嵌め込んで固定するものでもよい。
【００２７】
（実施の形態２）
図５は本発明の実施の形態２に係る表示装置セットの縦断面図、図６は同表示装置セットの傾斜状態を示す縦断面図、図７は同表示装置セットを構成する取付金具の斜視図である。実施の形態２では、表示装置の壁掛け角度が変更できる点が実施の形態１と異なる。図５、図６は、表示装置セットを構成する表示装置と取付金具とを組み付けた状態を示す。
【００２８】
実施の形態２では、スピーカー３のヨーク３８ｂは、円盤部３８ｂ２の代わりに、ヨーク３８ａと略同一の直径の半球状の凸部３８ｂ３を有している。バックキャビネット２の背面には、係止片４の代わりに、上側に長さの長いアーム８を設け、下側に長さの短いアーム９を設けている。上側のアーム８は基端部８ａを支点として上下に揺動自在である。下側のアーム９は背側に突出した姿勢に固定されている。各アーム８，９の先端はフック状をなす。
【００２９】
一方、取付金具５は、凹部５ｂの代わりに、ヨーク３８ｂの凸部３８ｂ３と略同一の直径の半球状の凹部５ｃを有している。又、取付金具５は、左右中央の上側箇所に、アーム８の先端のフック部をロックして保持する公知のロック機構１０を備え、左右中央の下側箇所に、アーム９の先端のフック部をロックして保持する公知のロック機構１０を備えている。各ロック機構１０の前側には、各アーム８，９の先端を差し込む孔１０ｂが開いている。又、各ロック機構にはロックを解除するレバー１０ａが横側部に設けてある。
【００３０】
次に、本発明の実施の形態２に係る表示装置を壁掛け状態にセットする手順について説明する。
（１）取付金具５を図示しない止めネジによってロック機構の反対側の面を壁面に固定する。
（２）各スピーカー３のヨーク３８ｂの半球状の凸部３８ｂ３を夫々取付金具５の左右の半球状の凹部５ｃに係合させ、永久磁石３９の磁力によって磁化している凸部３８ｂ３を取付金具５の凹部５ｃに磁着させる。
（３）壁掛け角度を垂直にする場合（図５）は、凸部３８ｂ３を凹部５ｃに係合した状態で表示装置を上側に回転させて、下側のアーム９を取付金具５の下側の差し込み孔１０ｂから差し込んでロック機構１０に保持させる。この時、上側のアーム８は垂下した状態にある。
（４）壁掛け角度を前側に傾斜させる場合（図６）は、凸部３８ｂ３を凹部５ｃに係合した状態で表示装置を下側に回転させて、上側のアーム８を水平状態にして取付金具５の差し込み孔１０ｂから差し込んでロック機構１０に保持させる。
（５）壁掛け角度を変更する場合は、各ロック機構のロックを解除レバー１０ａで解除した後、上記（３）又は（４）の手順で別の角度にセットする。
【００３１】
（実施の形態３）
図８は本発明の実施の形態３に係る表示装置セットの縦断面図、図９は同表示装置セットの傾斜状態を示す縦断面図である。実施の形態３では、係止部として、長さの異なる複数のアーム８，９に代えて、伸縮して長さが変更自在な１個のアーム１１を備えた点が実施の形態２と異なる。図８、図９は、表示装置セットを構成する表示装置と取付金具とを組み付けた状態を示す。
【００３２】
実施の形態３では、バックキャビネット２の背面の上側に、外筒１１ｂと、外筒１１ｂに内嵌され、軸方向に移動自在な棒体１１ｃとを備えたアーム１１を設けている。尚、棒体１１ｃは軸方向に移動した位置で外筒１１ｂにロックされる機構（不図示）を有しているので、長さを変更する際はこのロック機構を外す必要がある。外筒１１ｂは基端部１１ａを支点として上下に揺動自在である。棒体１１ｃの先端はフック状をなす。一方、取付金具５は、左右中央の上側箇所に、棒体１１ｃの先端のフック部をロックして保持する前記ロック機構１０を備えている。
【００３３】
次に、本発明の実施の形態３に係る表示装置を壁掛け状態にセットする手順について説明する。
（１）取付金具５を図示しない止めネジによってロック機構の反対側の面を壁面に固定する。
（２）壁掛け角度を垂直にする場合（図８）は、棒体１１ｃを外筒１１ｂの内部に押し込んで長さを短くし、各スピーカー３のヨーク３８ｂの半球状の凸部３８ｂ３を取付金具５の左右の半球状の凹部５ｃに係合した状態で表示装置を上側に回転させて、棒体１１ｃを差し込み孔１０ｂから差し込んでロック機構１０に保持させる。
（３）壁掛け角度を前側に傾斜させる場合（図９）は、棒体１１ｃを外筒１１ｂから引き出して長さを長くし、各スピーカー３のヨーク３８ｂの半球状の凸部３８ｂ３を取付金具５の左右の半球状の凹部５ｃに係合した状態で表示装置を下側に回転させて、棒体１１ｃを差し込み孔１０ｂから差し込んでロック機構１０に保持させる。
（４）壁掛け角度を変更する場合は、各ロック機構１０のロックを解除レバー１０ａで解除した後、上記（２）又は（３）の手順で別の角度にセットする。
【００３４】
（実施の形態４）
図１０は本発明の実施の形態４に係る表示装置セットを構成する表示装置の背面側の斜視図、図１１は同表示装置セットを構成する取付金具の斜視図である。実施の形態４では、スピーカー３が３個設けてある点が実施の形態１と異なる。
【００３５】
フロントキャビネット１の後面下部の左右及び中央の３箇所に、３個のスピーカー３がネジ止めされている。各スピーカー３のヨーク３８ｂがバックキャビネット２から背面側へ突出している。また、バックキャビネット２の背面上部の左右及び中央箇所に、３個の係止片４が後側へ突設されている。
【００３６】
一方、取付金具５の上部の左右及び中央の３箇所に、各係止片４を係止する３個の受止部５ａが設けてある。取付金具５の下部の左右及び中央の３箇所の板面に、夫々円形の凹部５ｂが形成され、各凹部５ｂの底面には緩衝用のゴム板６が接着してある。
【００３７】
実施の形態４では、実施の形態１の場合と同様に、バックキャビネット２の背面側の各係止片４を取付金具５の各受止部５ａに係止させ、各スピーカー３のヨーク３８ｂ（円盤部３８ｂ２）を取付金具５の各凹部５ｂに挿入して磁着させて、表示装置を壁掛け状態にセットすることができる。
【００３８】
（実施の形態５）
図１２は本発明の実施の形態５に係る表示装置セットの縦断面図、図１３は図１２に示す表示装置セットを構成する取付金具の斜視図である。実施の形態５では、取付金具５においてスピーカー３のヨーク３８ｂが磁着される箇所に凹部５ｂを設けず、平面である点が実施の形態１と異なる。
【００３９】
本発明の実施の形態１、４では、緩衝材としてのゴム板６を取付金具５側に設けたが、スピーカー３の背面側（ヨーク３８ｂの円盤部３８ｂ２の後面）に設けるように構成してもよい。又、緩衝材は、ゴム板以外に、布、発泡樹脂、軟質合成樹脂等でもよい。更に、取付金具５側又はスピーカー３の背面側に緩衝材を設けない構成も可能である。
【００４０】
本発明の実施の形態２、３では、スピーカー３のヨーク３８ｂが半球状の凸部３８ｂ３を有し、取付金具５がヨーク３８ｂの半球状の凸部３８ｂ３と係合する半球状の凹部５ｃを有するようにしたが、逆に、スピーカー３のヨーク３８ｂが半球状の凹部を有し、取付金具５がヨーク３８ｂの半球状の凹部と係合する半球状の凸部を有するように構成してもよい。又、半球状の凸部及び凹部ではなく、互いに係合する曲面状の凸部及び凹部でもよい。
【００４１】
本発明の実施の形態３では、アーム１１が伸縮して長さを変更できる構成としたが、一端部同士が回動自在に枢支連結された２つの棒体でアームを構成し、その２つの棒体の回動角度を変更してアームの長さを変更できる構成にしてもよい。尚、２つの棒体は回動した位置で互いにロックされる機構（不図示）を有しているので、長さを変更する際はこのロック機構を外す必要がある。
【００４２】
本発明の実施の形態１−５では、取付金具５を鉄、鉄ニッケル合金等の金属板で構成して、全体を磁性体としたが、例えば、取付金具５をプラスチックの板で構成し、スピーカー３のヨーク３８ｂが磁着される箇所のみに鉄、鉄ニッケル合金等の金属板（磁性体）を設けるようにしてもよい。
【００４３】
なお、今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００４４】
１        フロントキャビネット（キャビネット）
２        バックキャビネット（キャビネット）
３        スピーカー
３９      永久磁石（マグネット）
３８ｂ    ヨーク（磁着部）
３８ｂ３  凸部（曲面状の凸部）
４        係止片（係止部）
５        取付金具（取付具、磁性体、固定物）
５ａ      受止部（被係止部）
５ｂ      凹部
５ｃ      凹部（曲面状の凹部）
６        ゴム板（緩衝材）
７        カバー
８        アーム（係止部）
９        アーム（係止部）
１０      ロック機構（被係止部）
１１      アーム（係止部）
【図１】
2013130645.tif 000003
【図２】
2013130645.tif 000004
【図３】
2013130645.tif 000005
【図４】
2013130645.tif 000006
【図５】
2013130645.tif 000007
【図６】
2013130645.tif 000008
【図７】
2013130645.tif 000009
【図８】
2013130645.tif 000010
【図９】
2013130645.tif 000011
【図１０】
2013130645.tif 000012
【図１１】
2013130645.tif 000013
【図１２】
2013130645.tif 000014
【図１３】
2013130645.tif 000015